(57)【特許請求の範囲】
【請求項１】
幅方向の中央に面板部を、同方向の両端部に接続部としての側縁部を、少なくとも面板部裏面に少なくとも防火性、結露防止性を有し、且つ、弾性、可曲性を有している機能材が重合状態のままでそれぞれ成形した建築物等の内外装を構築する面板において、
少なくとも面板部裏面に、取付手段としての着脱可能な程度の接着力を有する接着剤によって着脱可能に取り付けられる前記機能材が設けられていることを特徴とするリサイクル可能な建築用面板。
【請求項２】
接着剤が、面板部裏面と機能材表面との間に部分的に設けられていることを特徴とする請求項１記載のリサイクル可能な建築用面板。
【請求項３】
機能材が、面板部裏面に部分的に設けられていることを特徴とする請求項１または２記載のリサイクル可能な建築用面板。
【発明の詳細な説明】
【０００１】
【発明の属する技術分野】
本発明は屋根板或いは壁板等の内外装材として有用であるリサイクル可能な建築用面板に関する。
【０００２】
【従来の技術】
建築の分野において、面材に断熱、防火、防音、防振、結露防止等の機能を持った機能材を接着剤等により強固に接着し一体化した建築用面板が用いられている。
一方で、近年自然環境の破壊防止や資源の有効活用を図る等の観点からリサイクル技術の開発が一段と重要になりつつある状況があり、建築の分野についても早期な対応が望まれている。
従来、建築用面板において機能材は強固に接着されているため、金属等のへらにより削り取るか或いは溶剤で溶かす方法が行なわれていた。しかしながら、へらで剥がす場合、途中で千切れてしまい完全に除去するのは非常に困難な作業であり、また溶剤を使用する場合は揮発溶剤成分が人体へ悪影響を及ぼす恐れがあった。
そこで機能材を容易に剥離すべく、特開平３−２８１１７９号公報（以下、先願１）が提案されている。このものは、金属へらの表面を高温に保ち、熱により粘着材を軟化させ容易に吸音材を剥離しようとするものであるが、専用の工具を必要とすること、ヒーターの電源を確保する必要があること、へらを高温で使用するため作業中の火傷の危険性があること等数々の問題点があった。
また、前記した特殊な工具を使用しないものとして、特開平２０００−２５７２１７号公報（以下、先願２）が提案されている。このものでは、板材と断熱材との間に予めシート状の分離層を介在させて断熱パネルを形成し、解体時にこの分離層ごと引き剥がすというものである。しかし断熱パネルを製造する段階で予め分離層を設けなければならないため、手間と費用がかかってしまうという問題点があった。
さらに、同じ建築分野においても、断熱パネルや複合断熱材の分野においてはリサイクル化が徐々に進められているが、建築物の内外装を構築する面板においては全くといってよいほどリサイクル化が進んでいないのが現状である。
本発明は、上記の問題点に鑑み、容易にリサイクル可能で、特に防火、結露防止性に優れた建築物等の内外装を構築する面板を提供しようとするものである。
【０００３】
【発明が解決しようとする課題】
解決しようとする課題は、第１には、特別な工具を用いず、人力で容易に機能材を剥離することができて、リサイクルが容易であると共に、機能材の取付位置を現場でも容易に変更、修正可能で、しかも、特段に部材が増えたりしないで、手間・費用の増大を防ぐことができ、引き剥がすだけで容易に剥離できて分別・回収作業が短時間で済み、施工中の作業時等において風等により剥がれず、さらに、防火性、結露防止性に優れ、生産効率が高い有用でリサイクル可能な建築用面板を、第２には、さらに、接着剤の種類を使い分けずとも、接着部位或いは接着面積によって必要に応じた接着力、接着関係に調整可能であるリサイクル可能な建築用面板を、第３には、さらに、必要最小限の機能材で済まして費用の増大を防ぎ、複数の機能をも付与し得るリサイクル可能な建築用面板を提供することにある。
【０００４】
【課題を解決するための手段】
本発明は前記した課題を達成するため、幅方向の中央に面板部を、同方向の両端部に接続部としての側縁部を、少なくとも面板部裏面に少なくとも防火性、結露防止性を有し、且つ、弾性、可曲性を有している機能材が重合状態のままでそれぞれ成形した建築物等の内外装を構築する面板において、少なくとも面板部裏面に、取付手段としての着脱可能な程度の接着力を有する接着剤によって着脱可能に取り付けられる前記機能材が設けられていることを特徴とする。
本発明における面板の材質は、鉄、銅、アルミニウム、ステンレス等の各種の金属素材、さらに、その他の公知の素材であれば良い。この面板の長さは、一枚板として用いられる長尺状のものであっても良いし、接続部を経て連続して用いられる定尺状（短尺）のものであっても良い。機能材の材質は、ポリエチレン、ポリウレタン、その他の発泡樹脂、塩化ビニール、その他の軟質樹脂、ゴムおよび発泡ゴム、ロックウール、グラスウール、その他の各種機能を有する公知の部材が挙げられ、単層でも良いし、求められる性能に対応した任意の組み合わせの複数層であっても良い。面板は屋根用であっても良いし、壁用であっても良く、また、縦葺き或いは横葺きのいずれであっても良い。面板部は、平坦状であっても良いし、途中に曲げ線部を有する傾斜面と平坦面の組み合わせ態様のものであっても良い。接続部としての側縁部は、隣接する面板の側縁部同士を接続可能な態様のものであっても良いし、下地等へ固定するための固定部材、保持部材等に接続可能な態様のものでも良い。
取付手段としての接着剤は、金属製、樹脂製或いは複合材料製等の係止部材との組み合わせであっても良く、機能材を少なくとも面板部裏面に着脱可能に取り付けられるものであれば良い。また、係止部材は、機能材を面板部裏面に押え付けて着脱可能に取り付け得る態様のものでも良いし、係止部材に形成した爪部を機能材に食い込ませながら面板部裏面に押え付けて着脱可能に取り付け得る態様のものであっても良い。
【０００５】
本発明における接着剤の種類については何等限定されるものではないが、人体への影響がない無溶剤製のものが望ましい。この接着剤が有する着脱可能な程度の接着力とは、面板部から機能材を引き剥がす際に、機能材を全く〜殆ど破損せずに引き剥がせる程度のことである。具体的には、機能材が全く破損することなく面板部より全て引き剥がし可能な接着程度から、機能材がリサイクル時に有害とならない程度に少々破損して剥がし残しが発生する接着程度の範囲であって、人の力により剥離させることができ、そして、施工中の作業時等において風等により剥がれない程度の接着力のものになる。また、機能材が複数層である場合、面板部に機能材を着脱可能に取り付ける接着剤と、機能材同士を着脱可能に取り付ける接着剤とは、同じ接着力であっても良いし、接着力に強弱の差があっても良い。
【０００６】
また本発明では、接着剤が、面板部裏面と機能材表面との間に部分的に設けられていることを特徴とする。
本発明における接着剤の接着力は、前記した接着力の範囲内において、接着力が異なる接着剤を用いて調整するようにしても良いし、或いは、接着剤を変えることなく、接着面積を変更することによって機能材全体としての接着力を調整しても良い。例えば、接着剤を機能材表面の中央部分を除く外周部分に配設しても良いし、その逆であっても良く、さらに、帯状或いは点状に配設するようにしても良い。
【０００７】
また本発明では、機能材が、面板部裏面に部分的に設けられていることを特徴とする。
本発明における機能材は、面状に限らず、機能と費用等の兼ね合いで必要最小限に設けるようにしても良く、長さ方向に沿う複数本の帯状としたり、長さ方向に並列状にしても良い。さらに、ブロック状或いは点状に設けるようにしても良い。また、機能材は、１種類のみ用いても良いし、２種類以上を組み合わせて用いるようにしても良い。
【０００８】
本発明における機能材は、少なくとも防火性、結露防止性を有し、且つ、弾性、可曲性を有しているものであれば良く、その限りにおいて素材は特に限定されない。例えば、無機質高充填フォーム、高難燃ポリエチレンフォーム、架橋化発泡ポリエチレン等の独立気泡系発泡シート（見掛け密度約０．０２５〜０．０５ｇ／ｃｍ３）やガラス繊維不織布等の無機質繊維シート（見掛け密度約０．１３ｇ／ｃｍ３）等を使用することができる。また、弾性と可曲性については、少なくともこれらの機能材を面板裏面に取り付けた状態で、支障無く折り曲げ成形（ロールフォーミング）できる程度の素材であれば良い。
【０００９】
【発明の実施の形態】
図１および図２には本発明のリサイクル可能な建築用面板における実施の１形態として、横葺屋根板を例示しており、この横葺屋根板１は、適宜長尺状の金属製屋根板２と、この屋根板２裏面の発泡樹脂製機能材３と、屋根板２と機能材３を着脱可能に取り付けている接着剤４とで表裏重合状に形成してある。
屋根板２は、中央に平坦な面板部２ａを有していると共に、幅方向すなわち短手方向の両端部（水上側と水下側）に側縁部２ｂを形成している。側縁部２ｂは、相互に係合して接続可能な態様の係合部２ｃと被係合部２ｄからなり、この面板部２ａ裏面と被係合部２ｄ外側面には、接着剤４を経て機能材３が取り付けられている。
機能材３は、少なくとも防火性および結露防止性を有し、且つ、弾性、可曲性を有している部材製のもので、屋根板２との表裏重合状態のままで横葺屋根板１形態に折り曲げ成形可能にしてある。この機能材３は、係合部２ｃ内面を除く面板部２ａ裏面と被係合部２ｄ外側面に接着剤４を経て全面接着されている。
接着剤４は、機能材３を破損することなく引き剥がして着脱可能な程度の接着力を有するもので、屋根板２と機能材３とに人力で引き剥がして分離して分別・回収可能にしてある。
この横葺屋根板１は、水上側の側縁部２ｂを固定部材５で下地６に固定され、そして、水上側の横葺屋根板１および水下側の横葺屋根板１とは、隣接する双方の係合部２ｃ、被係合部２ｄが係合した接続状態に横葺きされる。（図３参照）
【００１０】
図４および図５には本発明のリサイクル可能な建築用面板における実施の１形態として、他の横葺屋根板を例示しており、構成は前記した図１の態様のものと基本的に同一であるため、共通している構成の説明は符号を準用して省略し、相違する構成について説明する。
接着剤４は、面板部２ａ裏面における長手方向の両端部２ｅと係合部２ｃ側の端部２ｆを除いて塗布形成してあり、この非塗布部分２ｇである端部２ｅ、２ｆから機能材３を引き剥がし易くすることで容易に分別・回収可能にしてある。
【００１１】
図６および図７には本発明のリサイクル可能な建築用面板における実施の１形態として、他の横葺屋根板を例示しており、構成は前記した図１の態様のものと基本的に同一であるため、共通している構成の説明は符号を準用して省略し、相違する構成について説明する。
接着剤４は、面板部２ａ裏面の中央部２ｈを除く外周部２ｉに塗布形成してあり、この非塗布部分２ｇである中央部２ｈにおける機能材３部分に切込みを入れる等して引き剥がし易くすることで容易に分別・回収可能にしてある。
【００１２】
図８および図９には本発明のリサイクル可能な建築用面板における実施の１形態として、他の横葺屋根板を例示しており、構成は前記した図１の態様のものと基本的に同一であるため、共通している構成の説明は符号を準用して省略し、相違する構成について説明する。
接着剤４は、面板部２ａ裏面の中央部２ｈに散点状に塗布形成してあり、この非塗布部分２ｇの端部２ｅ、２ｆから機能材３を引き剥がし易くしてあると共に、容易に分別・回収可能にしてある。
【００１３】
図１０および図１１には本発明のリサイクル可能な建築用面板における実施の１形態として、他の横葺屋根板を例示しており、構成は前記した図１の態様のものと基本的に同一であるため、共通している構成の説明は符号を準用して省略し、相違する構成について説明する。
接着剤４は、面板部２ａ裏面に長手方向に沿う数本の帯状に塗布形成してあり、この非塗布部分２ｇの端部２ｅ、２ｆから機能材３を引き剥がし易くしてあると共に、容易に分別・回収可能にしてある。
【００１４】
図１２および図１３には本発明のリサイクル可能な建築用面板における実施の１形態として、他の横葺屋根板を例示しており、構成は前記した図１の態様のものと基本的に同一であるため、共通している構成の説明は符号を準用して省略し、相違する構成について説明する。
機能材３は、面板部２ａ裏面に部分的に設けられており、この長手方向に沿う平行状の帯状機能材３は、面板部２ａ裏面に接着剤４を経て着脱可能に取り付けられている。
【００１５】
図１４および図１５には本発明のリサイクル可能な建築用面板における実施の１形態として、他の横葺屋根板を例示しており、構成は前記した図１の態様のものと基本的に同一であるため、共通している構成の説明は符号を準用して省略し、相違する構成について説明する。
機能材３は、面板部２ａ裏面全体に設けられており、この面板部２ａと略同形の長尺状機能材３は、面板部２ａ裏面に接着剤４を経て着脱可能に取り付けられている。
接着剤４は、面板部２ａ裏面の外周部２ｉを除く中央部２ｈに塗布形成してあり、この非塗布部分２ｇである外周部２ｉから機能材３を引き剥がし易くすることで容易に分別・回収可能にしてある。
【００１６】
図１６および図１７には本発明のリサイクル可能な建築用面板における実施の１形態として、縦葺屋根板を例示しており、この縦葺屋根板１０は、適宜長尺状の金属製屋根板１１と、この屋根板１１裏面の発泡樹脂製機能材１２と、屋根板１１と機能材１２を着脱可能に取り付けている接着剤１３とで表裏重合状に形成してある。
屋根板１１は、中央に平坦な面板部１１ａを有していると共に、幅方向すなわち短手方向の両端部の左右側縁部１１ｂには、嵌合係止部１１ｃを後で説明する保持部材１５の嵌合溝部１５ａに嵌合係止可能に形成し、面板部１１ａ裏面には、接着剤１３を経て機能材１２が着脱可能に取り付けられている。
機能材１２は、防火性および結露防止性を有している部材製のもので、表側層１２ａと裏側層１２ｂからなる複層にしてあり、面板部１１ａ裏面に接着剤１３を経て取り付けられている。
接着剤１３は、機能材１２を破損することなく引き剥がして着脱可能な程度の接着力を有するもので、屋根板１１と機能材１２とに人力で引き剥がして分離して分別・回収可能にしてある。そして、面板部１１ａに表側層１２ａを着脱可能に取り付ける表側接着剤１３ａと、表側層１２ａと裏側層１２ｂを着脱可能に取り付ける裏側接着剤１３ｂとには、その接着力に強弱の差をもたせてある。具体的には、表側接着剤１３ａの接着力を裏側接着剤１３ｂよりも強くしていて、面板部１１ａから機能材１２を引き剥がす際に、先ず裏側層１２ｂが引き剥がされ、次いで表側層１２ａが引き剥がされることにより、各層毎に分別・回収し得るようにしてある。また、接着剤１３による屋根板１１と機能材１２の取り付けは、全面接着或いは前記した各図のような部分接着のいずれであっても良い。
この縦葺屋根板１０は、左右側縁の嵌合係止部１１ｃを保持部材１５の嵌合溝部１５ａに嵌合係止されて、この保持部材１５を経て下地１４に固定されると共に、左右に隣り合う縦葺屋根板１０の嵌合係止部１１ｃ内の嵌合凹部１１ｄに亘りカバー部材１６の係止部１６ａが被蓋されることで、フラットな屋根面意匠に縦葺きされる。（図１８参照）
【００１７】
図１９〜図２１には本発明のリサイクル可能な建築用面板における実施の１形態として、他の縦葺屋根板を例示しており、構成は前記した図１６の態様のものと基本的に同一であるため、共通している構成の説明は符号を準用して省略し、相違する構成について説明する。
機能材１２は単層のもので、面板部１１ａ裏面の凹窪面部１１ｅに接着剤１３を経て取り付けられていると共に、機能材１２の左右側縁部分を凹窪面部１１ｅ左右両脇の係止部材１７で凹窪面部１１ｅ内に押え付けられて、屋根板１１に対して着脱可能に取り付けられている。
係止部材１７は、凹窪面部１１ｅ左右両脇の面板部１１ａ裏面部分に沿い等間隔状に配設されていて、この先端部１７ａで機能材１２の左右側縁部分を凹窪面部１１ｅに押え付けている。また、先端部１７ａの爪部１７ｂは機能材１２に食い込み、面板部１１ａ裏面における機能材１２の位置が安定するようにしてある。
【００１８】
図２２には参考例を示しており、機能材１２は、係止部材１７で凹窪面部１１ｅに押え付けられていて、屋根板１１に対して着脱可能に取り付けられている。また、先端部１７ａの爪部１７ｂは機能材１２に食い込み、面板部１１ａ裏面における機能材１２の位置が安定するようにしてある。
【００１９】
【発明の効果】
Ａ．請求項１により、特別な工具を用いず、人力で容易に機能材を剥離することができる面板を提供でき、リサイクルが容易である。機能材の取付位置を変更したい場合でも、現場で容易に取付位置を修正することができる。
そして、特段に部材が増えたりしないので、手間・費用の増大を防ぐことができる。引き剥がすだけで容易に剥離できるので分別・回収作業が短時間で済む。施工中の作業時等において機能材が風等により剥がれない。また、無溶剤の接着剤にすれば、人体への悪影響が無い。
さらに、防火性、結露防止性に優れた面板が得られる。しかも、面板裏面に機能材を貼り付けた状態で成形できるので、生産効率が高い。
Ｂ．請求項２により、接着剤の種類を使い分けなくても、接着剤を塗る部位と面積によって各必要に応じた接着力を得ることができる。外周部分を残して中央部分に接着剤を設けた場合、非接着部分である外周部位を剥離する際の起点とすることができる。反対に、中央部分を除いて外周部分に接着剤を設けた場合、中央部分（非接着部）にカッター等で切込みを入れて、その部分を剥離の起点とすることができる。
Ｃ．請求項３により、機能材を必要最小限の部分に設けることにより、費用の増大を防ぐことができる。そして、二種以上の機能材を組み合わせることによって、複数の機能を持たせることが可能である。
【図面の簡単な説明】
【図１】本発明のリサイクル可能な建築用面板における実施の１形態を例示している平面図。
【図２】図１の（２）−（２）拡大断面図。
【図３】施行状態の葺き構造を示す縦断面図。
【図４】本発明のリサイクル可能な建築用面板における実施の他の１形態を例示している平面図。
【図５】図４の（５）−（５）拡大断面図。
【図６】本発明のリサイクル可能な建築用面板における実施の他の１形態を例示している平面図。
【図７】図６の（７）−（７）拡大断面図。
【図８】本発明のリサイクル可能な建築用面板における実施の他の１形態を例示している平面図。
【図９】図８の（９）−（９）拡大断面図。
【図１０】本発明のリサイクル可能な建築用面板における実施の他の１形態を例示している平面図。
【図１１】図１０の（１１）−（１１）拡大断面図。
【図１２】本発明のリサイクル可能な建築用面板における実施の他の１形態を例示している平面図。
【図１３】図１２の（１３）−（１３）拡大断面図。
【図１４】本発明のリサイクル可能な建築用面板における実施の他の１形態を例示している平面図。
【図１５】図１４の（１５）−（１５）拡大断面図。
【図１６】本発明のリサイクル可能な建築用面板における実施の他の１形態を例示している底面図。
【図１７】図１６の（１７）−（１７）拡大断面図。
【図１８】施行状態の葺き構造を示す縦断面図。
【図１９】本発明のリサイクル可能な建築用面板における実施の他の１形態を例示している底面図。
【図２０】図１９の（２０）−（２０）拡大断面図。
【図２１】部分拡大断面図。
【図２２】参考例を示す部分拡大断面図。
【符号の説明】
１  横葺屋根板（面板）
２、１１  屋根板
２ａ、１１ａ  面板部
２ｂ、１１ｂ  側縁部
２ｃ  係合部
２ｄ  被係合部
２ｅ  両端部
２ｆ  端部
２ｇ  非塗布部分
２ｈ  中央部
２ｉ  外周部
３、１２  機能材
４、１３  接着剤（取付手段）
５  固定部材
６  下地
１０  縦葺屋根板（面板）
１１ｃ  嵌合係止部
１１ｄ  嵌合凹部
１１ｅ  凹窪面部
１２ａ  表側層
１２ｂ  裏側層
１３ａ  表側接着剤
１３ｂ  裏側接着剤
１４  下地
１５  保持部材
１５ａ  嵌合溝部
１６  カバー部材
１６ａ  係止部
１７  係止部材（取付手段）
１７ａ  先端部
１７ｂ  爪部
【図１】
0003626706.tif 000002
【図２】
0003626706.tif 000003
【図３】
0003626706.tif 000004
【図４】
0003626706.tif 000005
【図５】
0003626706.tif 000006
【図６】
0003626706.tif 000007
【図７】
0003626706.tif 000008
【図８】
0003626706.tif 000009
【図９】
0003626706.tif 000010
【図１０】
0003626706.tif 000011
【図１１】
0003626706.tif 000012
【図１２】
0003626706.tif 000013
【図１３】
0003626706.tif 000014
【図１４】
0003626706.tif 000015
【図１５】
0003626706.tif 000016
【図１６】
0003626706.tif 000017
【図１７】
0003626706.tif 000018
【図１８】
0003626706.tif 000019
【図１９】
0003626706.tif 000020
【図２０】
0003626706.tif 000021
【図２１】
0003626706.tif 000022
【図２２】
0003626706.tif 000023